(57)【要約】      （修正有）【課題】磁石の反発力を利用した簡易な構造の発電方法を提供する。【解決手段】筒状のフレーム１に発電コイル２を巻いた空間に、一対の磁石を同極を対向するように連結してディスプレーサピストン４０と、もう一対の磁石を同極を対向するように連結してパワーピストン５０とを、各々の磁石の同極が対向するように配する。パワーピストン５０がディスプレーサピストン４０の下死点で接近し上死点に至る途中まで追随するように位相角を設けてフライホィール６０に連結し、フライホィール６０の外周面部に環状の磁石５を固着し、固定磁石６を該磁石５と同極が対向するように該フライホィール６０の外周縁部と回転方向に徐々に狭まるよう所定の距離を設けて配し、該フライホィール６０の回転により発電する。【選択図】図３
2013005708.tif 000002
【特許請求の範囲】
【請求項１】
コイルを巻いた空間の両端に同極を対向するように磁石を配し、該空間に偶数個の磁石又は磁石を装着したピストンをそれぞれの同極と該両端の磁石の同極が対向するように備え、該複数個の磁石が該空間を移動することにより発電する発電方法。
【請求項２】
コイルを正逆曲線に接続させることを特徴とする請求項１記載の発電方法。
【請求項３】
二つの磁石又は磁石を装着したピストンを一組として同極が対向するように所定の距離を設けて連結することを特徴とする請求項１又は請求項２記載の発電方法。
【請求項４】
前記偶数個の磁石の又は磁石を装着したピストンにおいて、前記空間の最も端に近い磁石又は磁石を装着したピストンをディスプレーサピストンとし、各々の磁石の同極が対向するように配した請求項１、２又は請求項３記載の発電方法。
【請求項５】
前記ディスプレーサピストンの動力源を備えた請求項４記載の発電方法。
【請求項６】
磁石でなした又は磁石を装着したパワーピストンを各々の磁石の同極が対向するように前記ディスプレーサピストンの近傍に配し、該パワーピストンが該ディスプレーサピストンの下死点で接近し上死点に至る途中まで追随するように設けて往復運動を回転運動に変換する機構に連結した請求項４又は請求項５記載の発電方法。
【請求項７】
前記往復運動を回転運動に変換する機構をフライホィールとし、該フライホィールの外周面部に環状の磁石を設け、該フライホィールの外周縁より所定距離を置いて対向させ、その一方を円周方向に所定距離変位させて配置すると共に、その対向面に回転する該磁石と同極が対向するようにしてある固定磁石を備えた請求項４、５又は請求項６記載の発電方法。
【請求項８】
前記フライホィールは、両側面部に該フライホィールより広径の非磁性体の円盤を備えることを特徴とする請求項４、５、６又は請求項７記載の発電方法。
【請求項９】
前記コイルを巻いた空間に一対の前記ディスプレーサピストンを同軸上に対向するように備えた請求項４、５、６、７又は請求項８記載の発電方法。
【請求項１０】
対向する一対の前記ディスプレーサピストンの間に各々の同極を対向するように偶数個の磁石を配した請求項４、５、６、７、８又は請求項９記載の発電方法。
【請求項１１】
前記往復運動を回転運動に変換する機構によって複数連結できる特徴を持つ請求項４、５、６、７、８、９又は請求項１０記載の発電方法。
【請求項１２】
前記往復運動を回転運動に変換する機構に発電機能を有する装置を具えることもできる請求項３、４、５、６、７、８、９、１０又は請求項１１記載の発電方法。
【発明の詳細な説明】
【技術分野】
【０００１】  磁石の反発力を利用した発電装置。
【背景技術】
【０００２】  特許文献１によって、小さな電気エネルギーで大きな電力を発生させる発電装置が提案されている。【０００３】
【特許文献１】実用新案登録第３１３９０３７号
【発明の概要】
【発明が解決しようとする課題】
【０００４】  磁石の反発力を利用した簡易な構造の発電方法を提供する。
【課題を解決するための手段】
【０００５】  磁石の反発力と往復運動を回転運動に変換する機構を連動させる。
【発明の効果】
【０００６】  磁石の反発力を利用すること、往復運動を回転運動に変換する機械を連動させることにより多重な発電を同時に行うことが可能となる。
【図面の簡単な説明】
【０００７】
【図１】本発明の実施例１の概略図である。
【図２】本発明の実施例２の概略図である。
【図３】本発明の実施例３の概略図である。
【図４】本発明の実施例４の概略図である。
【発明を実施するための形態】
【０００８】  本発明に係る発電装置の例を以下、図面に基づいて説明するが本実施例に限定されるものではない。
【実施例１】
【０００９】  筒状を成すようフレーム１に正逆曲線に接続した発電コイル２を巻いた空間の両端に同極が対向するように磁石３を配し、該空間に一対の可動性磁石４を所定の距離を設けて同極を対向するように連結して該両端の磁石と同極が対向するように配し、手動等により該可動磁石の質量と両端に配した磁石の反発力を利用して該可動磁石を移動させることにより発電する発電装置１００。
【実施例２】
【００１０】  筒状を成すようフレーム１に正逆曲線に接続した発電コイル２を巻いた空間の両端に磁石３を配し、該空間に一対の磁石を所定の距離を設けて同極を対向するように連結してディスプレーサピストン４０とし、該空間にもう一対の磁石を所定の距離を設けて同極を対向するように連結してパワーピストン５０とし、各々の磁石の同極を対向するように配し、該パワーピストン５０が該ディスプレーサピストン４０の下死点で接近し上死点に至る途中まで追随するように位相角を設けてフライホィール６０に連結し、該フライホィール６０の回転により発電機能を有する発電装置７０備えた、該パワーピストン５０が該ディスプレーサピストン４０の下死点から上死点への移動を補助する特徴を持ち、同時に多重の発電を可能にする発電装置１００。発電装置７０は図示せず。
【実施例３】
【００１１】  筒状を成すようフレーム１に正逆曲線に接続した発電コイル２を巻いた空間の両端に磁石３を配し、該空間に一対の磁石を所定の距離を設けて同極を対向するように連結してディスプレーサピストン４０とし、該空間にもう一対の磁石を所定の距離を設けて同極を対向するように連結してパワーピストン５０とし、各々の磁石の同極を対向するように配し、該パワーピストンが該ディスプレーサピストンの下死点で接近し上死点に至る途中まで追随するように位相角を設けてフライホィール６０に連結し、該フライホィール６０の外周面部に環状の磁石５を固着し両側面部にフライホィール６０より広径の非磁性体製の絶縁板６１を夫々装着し、一対の固定磁石６を該磁石５と同極が対向するように該フライホィール６０の外周縁部と回転方向に徐々に狭まるよう所定の距離を設けて配し、該フライホィール６０の回転により発電機能を有する発電装置７０備えた、該フライホィール６０の外周面部に固着した磁石５と周縁部に固定した磁石６の反発力により該フライホィール６０の回転を補助する特徴を持ち、同時に多重の発電を可能とする発電装置１００。発電装置７０は図示をせず。
【実施例４】
【００１２】  筒状を成すようフレーム１に正逆曲線に接続した発電コイル２を巻いた空間の両端に磁石３を配し、該空間に一対の磁石を所定の距離を設けて同極を対向するように連結してディスプレーサピストン４０とし、該空間にもう一対の磁石を所定の距離を設けて同極を対向するように連結してパワーピストン５０とし、各々の磁石の同極を対向するように配し、該パワーピストンが該ディスプレーサピストンの下死点で上死点に至る途中まで追随するように位相角を設けてフライホィール６０に連結し、該フライホィール６０の外周面部に環状の磁石５を固着し両側面部にフライホィール６０より広径の非磁性体製の絶縁板６１を夫々装着し、一対の固定磁石６を該磁石５と同極が対向するように該フライホィール６０の外周縁部と回転方向に徐々に狭まるよう所定の距離を設けて配し、該フライホィール６０の回転により発電機能を有する発電装置６１備えた一対の発電装置１００を同軸上に該ディスプレーサピストン４０を対向するよう配置し、該ディスプレーサピストン４０の間に各々の同極を対向するように可動磁石４を備えた、実施例３の一対の発電装置１００を同軸上に対向させ該ディスプレーサピストン同士の反発力によりお互いの運動を補助する特徴を持ち、同時に多重の発電を可能にする発電装置。発電方法７０は図示をせず。
【符号の説明】
【００１３】  １      フレーム
２      発電コイル
３      磁石
４      可動性磁石
５      磁石
６      固定磁石
４０    ディスプレーサピストン
５０    パワーピストン
６０    フライホィール
６１    絶縁板
１００    発電装置
【図１】
2013005708.tif 000003
【図２】
2013005708.tif 000004
【図３】
2013005708.tif 000005
【図４】
2013005708.tif 000006